(57)【要約】【課題】任意の場所において短時間で客観的な塩害試験を行うことができる換気用エアフィルタユニットの塩害試験方法および装置を提供する。【解決手段】フィルタユニット５０がダクト２０内を横断するように、フィルタユニット５０をユニット固定部２３に固定する。送風機２４により、フィルタユニット５０に関してダクト２０の一方の側から他方の側へ送風する。フィルタユニット５０に関してダクトの一方の側において、微噴霧加湿器３０で、塩分を含む微粒子を噴霧する。【選択図】  図１
2004360977.tif 000002
【特許請求の範囲】
【請求項１】
フィルタユニットがダクト内を横断するように、前記フィルタユニットを固定する第１ステップと、
前記フィルタユニットに関して前記ダクトの一方の側から他方の側へ送風する第２ステップと、
前記フィルタユニットに関して前記ダクトの一方の側において、塩分を含む微粒子を噴霧する第３ステップとを備えたことを特徴とする、換気用エアフィルタユニットの塩害試験方法。
【請求項２】
前記第３ステップにおいて、塩分と色素とを含む微粒子を噴霧した後、水のみの微粒子を噴霧することを特徴とする、請求項１記載の塩害試験方法。
【請求項３】
前記第３ステップにおいて噴霧する前記微粒子の粒径が、１０〜５０μｍであることを特徴とする、請求項１または２記載の塩害試験方法。
【請求項４】
ダクトと、
前記ダクト内を横断するようにフィルタユニットを固定するユニット固定部と、
前記ユニット固定部に関して前記ダクトの一方の側から他方の側に送風する送風機と、
前記ユニット固定部に関して前記ダクトの一方の側に配置され、塩分を含む微粒子を噴霧することができる微噴霧加湿器とを備えたことを特徴とする、換気用エアフィルタユニットの塩害試験装置。
【請求項５】
前記微噴霧加湿器は、塩分と色素とを含む微粒子と、水のみの微粒子とを、選択的に噴霧することを特徴とする、請求項４記載の塩害試験装置。
【請求項６】
前記微噴霧加湿器は、粒径が１０〜５０μｍの前記微粒子を噴霧することを特徴とする、請求項４または５記載の塩害試験装置。
【発明の詳細な説明】
【０００１】
【発明の属する技術分野】
本発明は、換気用エアフィルタユニットの塩害試験方法および装置に関する。
【０００２】
【従来の技術】
ビルディング、工場、事務所などにおいては、空気中に浮遊する粉じんを除去するため、エアフィルタを用いている。エアフィルタのうち、ろ材を用いて粉じんを除去する換気用エアフィルタユニット及び換気用電気集じん器の性能試験方法については、ＪＩＳ規格が制定されている（例えば、非特許文献１参照。）。
【０００３】
【非特許文献１】
“ＪＩＳ  Ｂ  ９９０８  換気用エアフィルタユニット・換気用電気集じん器の性能試験方法”、日本規格協会
【０００４】
【発明が解決しようとする課題】
海に近い場所では、大気中の海塩粒子によって塩害が生じる。そこで、例えば海上の人口島に建設するビルディングにおいては、換気用エアフィルタユニット（以下、「フィルタユニット」という。）で海塩粒子を除去し、建物内での塩害を防止することが考えられる。
【０００５】
海に近い場所で使用する換気用エアフィルタユニットについては、自然環境や腐蝕に対する耐久性の調査のため、海上や海岸近くに試験装置を配置し、半年から１年程度かけて実際にエアフィルタを使用する試験を行う場合もある。
【０００６】
しかし、このような試験方法では、試験できる場所が限られ、試験に要する時間も長く、さらに、自然環境によって結果が左右される。
【０００７】
また、海塩粒子は、フィルタユニットによって捕捉されても、その後の雨天時に溶け出し、フィルタユニットからしみ出ることがある。このような潮解という特有の現象があるため、海塩粒子については、一般的な粉じんについての試験方法をそのまま適用することはできない。
【０００８】
本発明は、上記に鑑み、任意の場所において短時間で客観的な塩害試験を行うことができる換気用エアフィルタユニットの塩害試験方法および装置を提供することを目的とするものである。
【０００９】
【課題を解決するための手段】
本発明は、上記目的を達成するために、以下の換気用エアフィルタユニットの塩害試験方法を提供する。
【００１０】
エアフィルタの塩害試験方法は、フィルタユニットがダクト内を横断するように、前記フィルタユニットを固定する第１ステップと、前記フィルタユニットに関して前記ダクトの一方の側から他方の側へ送風する第２ステップと、前記フィルタユニットに関して前記ダクトの一方の側において、塩分を含む微粒子を噴霧する第３ステップとを備える。
【００１１】
上記方法において、フィルタユニットに関してダクトの一方の側から塩分を含む微粒子を噴霧することにより、塩分を含む微粒子はダクトの他方の側へと移動する。ダクト内を横断するように配置されたフィルタユニットは、その性能に応じて、この移動する微粒子を捕捉する。
【００１２】
塩害に対する評価には、例えば、フィルタユニットが塩分を含む微粒子を捕捉する比率である捕集効率を用いる。捕集効率：η（％）は、フィルタユニットの上流側の塩分濃度ρ１と下流側の塩分濃度ρ２とを測定し、
η＝（１−ρ２／ρ１）×１００  ・・・（１）
により、求める。
【００１３】
上記方法によれば、塩分を含む微粒子の噴霧量や濃度、噴霧時間など、試験条件を適宜に設定することにより、任意の場所で、自然環境に左右されることなく、再現性の高い客観的な試験を、加速度的に短時間で行うことができる。
【００１４】
好ましくは、前記第３ステップにおいて、塩分と色素とを含む微粒子を噴霧した後、水のみの微粒子を噴霧する。
【００１５】
この場合、塩分と色素とを含む微粒子がフィルタユニットの上流側で捕捉された後、塩分も色素も含まない水のみの微粒子によって溶け出し、フィルタユニットの下流側に達すると、フィルタユニットの下流側には色素が現れ、色が変化する。したがって、フィルタユニットの下流側の色を観察することによって、潮解試験をすることができる。
【００１６】
好ましくは、前記第３ステップにおいて噴霧する前記微粒子の粒径が、１０〜５０μｍである。
【００１７】
上記した粒径は、大気中において水分を失っていない海塩粒子（微水滴）の粒径と同一であるので、試験条件として好適である。
【００１８】
また、本発明は、上記目的を達成するために、以下の換気用エアフィルタユニットの塩害試験装置を提供する。
【００１９】
換気用エアフィルタユニットの性能試験装置は、ダクトと、前記ダクト内を横断するようにフィルタユニットを固定するユニット固定部と、前記ユニット固定部に関して前記ダクトの一方の側から他方の側に送風する送風機と、前記ユニット固定部に関して前記ダクトの一方の側に配置され、塩分を含む微粒子を噴霧することができる微噴霧加湿器とを備える。
【００２０】
上記構成において、ダクトの一方の側から他方の側へ送風した状態で、ダクトの一方の側から塩分を含む微粒子を噴霧すると、塩分を含む微粒子はダクトの他方の側へと移動する。ダクト内を横断するように配置されたフィルタユニットは、その性能に応じて、この微粒子を捕捉する。
【００２１】
塩害に対する評価には、例えば、フィルタユニットが塩分を含む微粒子を捕捉する効率である捕集効率を用いる。捕集効率：η（％）は、フィルタユニットの上流側の塩分濃度ρ１と下流側の塩分濃度ρ２とを測定し、
η＝（１−ρ２／ρ１）×１００  ・・・（２）
により、求める。
【００２２】
上記構成によれば、塩分を含む微粒子の噴霧量や濃度、噴霧時間など、試験条件を適宜に設定することにより、任意の場所で、自然環境に左右されることなく、再現性の高い客観的な試験を、加速度的に短時間で行うことができる。
【００２３】
好ましくは、前記微噴霧加湿器は、塩分と色素とを含む微粒子と、水のみの微粒子とを、選択的に噴霧する。
【００２４】
上記構成によれば、塩分と色素とを含む微粒子を噴霧した後、塩分も色素も含まない水のみの微粒子を噴霧して、潮解試験を行うことができる。すなわち、塩分と色素とを含む微粒子がフィルタユニットの上流側で捕捉された後、水のみの微粒子によって溶け出し、フィルタユニットの下流側に達すると、フィルタユニットの下流側には色素が現れ、色が変化するので、フィルタユニットの下流側の色を観察することによって、潮解試験をすることができる。
【００２５】
好ましくは、前記微噴霧加湿器は、粒径が１０〜５０μｍの前記微粒子を噴霧する。
【００２６】
上記した粒径は、大気中において水分を失っていない海塩粒子（微水滴）の粒径と同一であるので、試験条件として好適である。
【００２７】
【発明の実施の形態】
以下、本発明の実施の形態として一実施例を図１に基づいて説明する。
【００２８】
図１に示すように、本発明の一実施例の換気用エアフィルタユニットの塩害試験装置（以下、「塩害試験装置」という。」）１０は、ダクト２０と、微噴霧加湿器３０とを備える。
【００２９】
ダクト２０は、その一端に送風機２４（たとえば、シロッコファン）が設けられ、矢印２８で示すように、ダクト２０の他端の開口２２から空気を吸い込むようになっている。ダクト２０の中間位置には、フィルタユニット５０を固定するユニット固定部２３が設けられていて、ダクト２０内を横断した状態でフィルタユニット５０を固定するようになっている。
【００３０】
フィルタユニット５０より下流側（送風機２４側）には、サンプリング部４０が設けられている。サンプリング部４０からは、矢印４８で示すように、吸気ポンプ４４で吸引し、流量計４２を用いて吸引量を測定する。
【００３１】
微噴霧加湿器３０は、ダクト２０の開口２２に向けて、液体の微粒子を噴霧するようになっている。
【００３２】
微噴霧加湿器３０は、例えば、エアーライン３０ａと液ライン３０ｂとに接続されたスプレーノズル３０ｃを有する。液ライン３０ｂは、矢印３１で示すように、液だめ３２から液体を吸引する。液だめ３２には、液面の高さの変化を外部から容易に監視できるように、透明で目盛りのある容器（たとえば、メスシリンダー）を用いる。液だめ３２には、矢印３５ａ，３５ｂで示すように、ポンプ３４を用いて液容器３６から液体を供給する。液容器３６内の液量は、液量測定装置３８によって測定する。たとえば、液量測定装置３８としてデジタル天秤を用い、液容器３６の重量を測定する。
【００３３】
次に、塩害試験装置１０を用いて行う塩害試験、すなわち海塩粒子（微水滴）除去試験の具体的な方法について、説明する。
【００３４】
まず、フィルタユニット５０をユニット固定部２３に固定する。サンプリング部４０には、事前に乾燥して秤量したガラス濾紙を取り付ける。液容器３６には、所定濃度のＮａＣｌ溶液を入れ、液量を液量測定装置３８で測定する。
【００３５】
次に、送風機２４を作動させ、ダクト２０内が所定風量になるように調節する。また、吸気ポンプ４４を作動させ、サンプリング部４０から、サンプリング部４０の周囲と等しい流速で吸引するように調節する。
【００３６】
次に、微噴霧加湿器３０とポンプ３４とを作動させ、塩分を含む微粒子を生成し、その微粒子がダクト２０内に吸引されるようにする。
【００３７】
所定時間経過後、噴霧を停止するとともに、送風機２４と吸気ポンプ４４とを停止する。
【００３８】
そして、液量測定装置３８で液量を測定し、噴霧したＮａＣｌの重量と、ダクト２０内の風量とから、フィルタユニット５０よりも上流側におけるＮａＣｌ濃度：ρ１を求める。
【００３９】
また、サンプリング部４０に取り付けたガラス濾紙を乾燥後に秤量し、ガラス濾紙に付着したＮａＣｌの重量と、ダクト２０内の風量とから、フィルタユニット５０よりも下流側におけるＮａＣｌ濃度：ρ２求める。
【００４０】
フィルタユニット５０の捕集効率：η（％）は、
η＝（１−ρ２／ρ１）×１００  ・・・（３）
により算出する。
【００４１】
あるいは、フィルタユニット５０に付着したＮａＣｌの質量ＷＦと、噴霧したＮａＣｌの質量ＷＬとから、捕集効率：η（％）を、
η＝ＷＦ／ＷＬ×１００  ・・・（４）
により算出してもよい。
【００４２】
具体的な試験条件の一例を挙げると、蒸留水に１０重量％のＮａＣｌを溶かし、その溶液を微噴霧加湿器３０によって粒径１０〜５０μｍのスプレーミストにして、フィルタユニット５０に付着させる。粒径１０〜５０μｍは、大気中において水分を失っていない海塩粒子（微水滴）粒径と同一である。フィルタユニット５０は、大略、７００ｍｍ×７００ｍｍ程度の大きさのものを用いる。
【００４３】
次に、塩害試験装置１０を用いて行う潮解試験の具体的な方法について、説明する。
【００４４】
まず、上述した海塩粒子（微水滴）除去試験と同様に、所定濃度のＮａＣｌ溶液の微粒子を噴霧する。このとき、ＮａＣｌ溶液には、適宜な色素（例えば、赤インク）を添加しておく。
【００４５】
次に、上流側（開口２２側）にＮａＣｌと色素が付着したフィルタユニット５０を所定条件で乾燥する。
【００４６】
次に、塩害試験装置１０を用い、上述した海塩粒子（微水滴）除去試験と同様に、送風しながら、微噴霧加湿器３０で微粒子を噴霧する。このときには、ＮａＣｌや色素を含まない水のみの微粒子を噴霧する。
【００４７】
所定時間の噴霧を終了したら、フィルタユニット５０の下流側に色素が現れていないかを調べる。色素が現れていれば、フィルタユニット５０で一旦捕捉された塩分が蒸留水によって溶け出し、下流側にしみ出たことが容易に分かる。
【００４８】
具体的な試験条件の一例を挙げると、蒸留水に１０重量％のＮａＣｌと赤インクとを溶かし、その溶液を微噴霧加湿器３０によって粒径１０〜５０μｍのスプレーミストにして、フィルタユニット５０に付着させる。粒径１０〜５０μｍは、大気中において水分を失っていない海塩粒子（微水滴）粒径と同一である。フィルタユニット５０は、大略、７００ｍｍ×７００ｍｍ程度の大きさのものを用いる。噴霧終了後のフィルタは、フィルタの上流側と下流側の着色状態を目視にて確認するとともに、写真撮影を行う。
【００４９】
噴霧終了後のフィルタを、２日間、屋内で自然乾燥した後、蒸留水のみを微噴霧加湿器３０によって粒径１０〜５０μｍのスプレーミストにして、フィルタユニット５０に付着させる。噴霧終了後のフィルタは、フィルタの上流側と下流側の着色状態を目視にて確認するとともに、写真撮影を行う。
【００５０】
【発明の効果】
塩分を含む微粒子を噴霧することにより、任意の場所で、自然環境に左右されることなく、再現性の高い客観的な試験を、加速度的に短時間で行うことができる。また、塩分と色素とを含む微粒子を噴霧した後、水のみの微粒子を噴霧することにより、潮解試験を行うことができる。
【００５１】
なお、本発明は、上記実施例に限るものではなく、種々の態様で実施することが可能である。
【００５２】
たとえば、微噴霧加湿器３０をダクト２０内に配置してもよい。微噴霧加湿器３０は、スプレーノズル３０ｃを用いるタイプ以外のものであってもよい。また、塩害に対するフィルタユニット５０の性能評価には、捕集効率以外のパラメータ（例えば、圧力損失）を用いてもよい。
【図面の簡単な説明】
【図１】本発明の実施例を示す塩害試験装置の構成図である。
【符号の説明】
１０  塩害試験装置
２０  ダクト
２３  ユニット固定部
２４  送風機
３０  微噴霧加湿器
５０  フィルタユニット
【図１】
2004360977.tif 000003